(57)【要約】【課題】  一方のコードの長さと他方のコードの長さを個別に調整することなく、使用に際して各所定の長さの両コードを巻き取り及び引き出すことが可能なコードリールを得ること。【解決手段】本体１と、本体１に回転可能に配置さられた中心軸２と、該中心軸２に固定された第1リール３（該第1リール３は第1回転巻取部３ａを有する）と、該中心軸２に固定された第2リール４（該第2リール４は第2回転巻取部４ａを有し、該第2回転巻取部４ａの外周長は第1回転巻取部３ａの外周長に比して短い）とを具備し、第1リール３及び第2リール４は、中心軸２と一体的に回転及び逆回転することができるコードリール１０が提供される。【選択図】図３
2008024400.tif 000002
【特許請求の範囲】
【請求項１】
本体１、
本体１に回転可能に配置された中心軸２、
該中心軸２に固定された第1リール３、該第1リール３は第1回転巻取部３ａを有する、
該中心軸２に固定された第2リール４、該第2リール４は第2回転巻取部４ａを有し、該第2回転巻取部４ａの外周長は第1回転巻取部３ａの外周長に比して短い、
ここにおいて、第1リール３及び第2リール４は、中心軸２と一体的に回転及び逆回転することができる、
を具備するコードリール１０。
【請求項２】
該第2回転巻取部４ａの外周長と第1回転巻取部３ａの外周長とは、両回転巻取部の各々に巻回されるべき第1コード３ｂと第2コード４ｂの長さに対応して選定される、請求項１に記載のコードリール１０。
【請求項３】
第1リール３にはｎ回転分の第1コード３ｂが巻回され、第2リール４にはｎ／２回転分の第2コード４ｂが該第1コード３ｂと同方向巻回されている、請求項１に記載のコードリール１０。
【請求項４】
該中心軸２は、該中心軸２を回転させるための回転機構８を具備する、請求項１に記載のコードリール１０。
【請求項５】
該回転機構８はつるまきバネを具備する、請求項５に記載のコードリール１０。
【請求項６】
第1リール３と第2リール４の少なくとも1つには、ストッパー機構９を具備する、請求項1に記載のコードリール１０。
【請求項７】
該第２リール４は該第1リール３に隣接して配置される、請求項１に記載のコードリール１０。
【発明の詳細な説明】
【技術分野】
【０００１】
本発明はコードリールに関する。さらに詳しくは、電気的配線に使用される電気コードなどの複数のコードを引き出したり巻き取ったりすることが可能なコードリールに関する。
【背景技術】
【０００２】
図７には、従来の延長コードリールが開示されている（特許文献１参照）。
【０００３】
この延長コードリールは、リールドラム２１のシャフト役を果たす中心軸２２に絶縁物２４が固定される。絶縁物２４には2個の回転対称の導電性リング２３が設けられる。リング２３に電源コード２５を接続する。電源コードの先端にはプラグ２６をつける。２枚のドラム側板２７，２８の内、固定絶縁物のドラム測板２７は、絶縁物２４を軸にして回転できるように直径の大きい穴があけられる。他のドラム側板２８は普通のリールと同様に軸パイプ２２を軸にして回転する。
【０００４】
ドラムに固定した絶縁物２９に、2個の刷子あるいは弾性接触片３０をそれぞれリングに弾性接触するように保持させる。弾性接触片３０は延長コード３１を接続する。延長コード３１はリールドラム２１の外周に巻回される。この延長コードリールは、長い延長コードを引き出し或いは巻き戻しが可能である。
【０００５】
しかし、この延長コードリールは延長コード３１と電源コード２５とを電気的に接続するための機構が必要である。該機構は、固定絶縁物２４に配置した金属リング２３、絶縁物２９に配置した弾性接触片３０よりなる。
【０００６】
上記のような両コードを電気的に接続するための機構を不要としたコードリールが特許文献２に開示されている。
【０００７】
図８には、特許文献２に開示されたコードリールが示されている。このコードリールは、リール４１とリール４２を上下に設ける。イヤホンやヘッドホン４４のコード４８はリール４１に巻回される。
【０００８】
端子４５側のコード５０は、リール４２に巻回される。端子４５側のコードは、リール４１の底４９に設けた穴４３を介して、イヤホン側のコード４８と結線される。
【０００９】
図８に示したコードリールでは、端子４５側のコード５０を中心軸４３を通してコードリールの中心から外に出すことで、イヤホン側のコード４８の長さだけ調節できるようにする。端子４５側のコードの長さを調節する場合は、同コードの途中にコードを巻いておくための付属器具（図示していない）を使用しなければならない。
【００１０】
図８に記載されたコードリールを使用する際には、イヤホン側のコード４８の長さと端子４５側のコード５０の長さを個別に調節する必要がある。
【特許文献１】特開２００４−３９３６８号公報
【特許文献２】特開２００５−５１８０５号公報
【発明の開示】
【発明が解決しようとする課題】
【００１１】
本願発明は、上記従来技術の課題の少なくとも1つを解決することを目的とする。
【００１２】
本願発明は、両コードを電気的に接続するための機構を不要とすることを目的とする。
【００１３】
本願発明は、一方のコードの長さと他方のコードの長さを個別に調整することなく、使用に際して各所定の長さの両コードを巻き取り及び引き出すことが可能なコードリールを得ることを目的とする。
【課題を解決するための手段】
【００１４】
本願発明の第1の観点に従って、本体１と、本体１に回転可能に配置さられた中心軸２と、該中心軸２に固定された第1リール３（該第1リール３は第1回転巻取部３ａを有する）と、該中心軸２に固定された第2リール４（該第2リール４は第2回転巻取部４ａを有し、該第2回転巻取部４ａの外周長は第1回転巻取部３ａの外周長に比して短い）と（第1リール３及び第2リール４は、中心軸２と一体的に回転及び逆回転することができる）を具備するコードリール１０が提供される。
【００１５】
このコードリール１０は、該第2回転巻取部４ａの外周長と第1回転巻取部３ａの外周長とが、両回転巻取部の各々に巻回されるべき第1コード３ｂと第2コード４ｂの長さに対応して選定されることができる。
【００１６】
このコードリール１０は、第1リール３にはｎ回転分の第1コード３ｂが巻回され、第2リール４にはｎ／２回転分の第2コード４ｂが該第1コード３ｂと同方向に巻回されてる、ことができる。
【００１７】
このコードリール１０は、該中心軸２を回転させるための回転機構８を具備することができる。
【００１８】
このコードリール１０の該回転機構８はつるまきバネを具備することができる。
【００１９】
このコードリール１０の第1リール３と第2リール４の少なくとも1つには、ストッパー機構９を具備することができる。
【００２０】
このコードリール１０の該第２リール４は該第1リール３に隣接して配置されることができる。
【発明の効果】
【００２１】
本願発明は、両コードを電気的に接続するための特別の機構（ロータリー接点など）を不要とするコードリールを提供する。また、本願発明は、一方のコードの長さと他方のコードの長さを個別に調整することなく、使用に適した長さのコードを、巻き取り及び引き出すことができるコードリールを得ることができる。
【発明を実施するための最良の形態】
【００２２】
以下、図面１乃至５に示された第1の実施の形態に基づいて、本発明を説明する。図１は、本体（例、筐体）１に組み込まれた本願発明のコードリール１０の外観を示している。本願発明のコードリール１０は、図２に示されるように、電気機器（例、携帯用ラジオ、携帯用ＴＶ、携帯電話、掃除機、電動工具、診療機器（例、根尖位置検出器））の筐体１内に、電子部品１ａとともに組み込まれることも出来る。この図２において、第2コードは、電子部品１ａに接続されているが、図１と同様に、本体の外に引き出されるように構成することもできる。
【００２３】
本願発明は複数のコードを巻き取ったり引き出したりすることが可能なコードリールであるが、以下においては、２つのコードを対象とするコードリールを説明する。
【００２４】
図３は、本願発明のコードリール本体の詳細図である。図３において、本体１内には中心軸２が回転可能に配置される。中心軸２は、中空部２ａ（図１、２参照）を有する中空円筒体の構造とされることができるが、中心軸２は回転可能な構造であれば、中空円筒体に限るものではない。
【００２５】
図３において、第1コード３ｂを巻回するための第1リール３は第1回転巻取部（例、リールドラム）３ａを有し、中心軸２と一体的に回転可能なように取り付けつけられることができる。第2コード４ｂを巻回するための第2リール４も、第1リール３と同様に第２回転巻取部（例、リールドラム）４ａを有しており、中心軸２と一体的に回転可能なように取り付けつけられることができる。第２回転巻取部４ａの外径ｒ２を第1回転巻取部３ａの外形ｒ１より小さくすることにより、第２回転巻取部４ａの外周長を第1回転巻取部の外周長よりも短く設定される。後述するように、第1回転巻取部３ａの巻取用の外周長は巻き取られる第1コードの長さに応じて決定され、第2回転巻取部４ａの巻取用外周長も巻き取られる第2コードの長さに応じて決定されることができる。
【００２６】
このような構造のコードリールは、第1コード３ｂを本体から引き出す時には、第1リール３が回転するとともに、第2リール４も同方向に回転して、第2コードも引き出される。或いは、後述するように、第1コード３ｂを本体から引き出す時には、第2コードは引き出された後、再度巻き取られるように構成することも可能である。
【００２７】
第1コード３ｂと第2コード４ｂは、特別な接続機構を利用することなく、例えば中心軸２の中空２ａを介して直接接続されることができる。
【００２８】
以上のように中心軸２、第1リール３及び第2リール４から構成されるコードリール１０は、一体的に回転可能である。コードリール１０は、さらに、中心軸２を回転させるための回転機構８を備えることができる。図４に、この回転機構８の例が示されている。該回転機構８はモーター駆動機構やゼンマイ８’を採用することができる。ゼンマイ８’を採用する場合、ゼンマイ８’は第1回転巻取部３ａの内部に収納されることができる。ゼンマイ８’の一端は、本体１の第1のゼンマイ固定部８ａに固定される。ゼンマイ８’の他端は第1リール３の第2の固定部８ｂに取り付けられる。ゼンマイ８’は、第1コード３ｂが全て巻き取り完了の状態で、第1リール３に対して所定の最低回転力を与える状態とし、第1コード３ｂが全て引き出された状態で所定の最高回転力を与える状態になるように、設定されることができる。
【００２９】
図３に示された本願発明のコードリールの実施形態の動作を説明する。
【００３０】
第1コード３ｂを本体１から引き出す長さに応じて、第1リール３は所定数ｎ回転する。第1リール３のｎ回転に従って、中心軸２もｎ回転する。中心軸２のｎ回転に従って，第2リールもｎ回転し、ｎ回転分の第2コード４ｂが引き出される。
【００３１】
第1回転巻取部３ａの外周長と第2回転巻取部４ａの外周長とが相違することから、同じ中心軸１がｎ回転した際に取り出される第1コード３ｂと第2コード４ｂの長さは同じではない。
【００３２】
第２回転巻取部４ａの外周長は、第1回転巻取部３ａの外周長よりも短く（例えば、１／４に）設定されている。第１リールがｎ回転して、所定長の第1コード３ｂが引き出された場合、第2リールもｎ回転して、第2回転巻取部４ａに巻回された第2コードが引き出される。第1回転巻取部の外周長に比して、第2回転巻取部の外周長を１／４に設定しておくと、第2回転巻取部４ａから引き出される第2コード４ｂの長さは、第1コード３ｂの長さの略１／４になる。
【００３３】
このように、第1回転巻取部３ａの外周長と第2回転巻取部４ａの外周長とを、「第2コード４ｂの引き出されるべき長さ／引き出されるべき第1コード３ａの長さ」比（Ｄ）に設定しておくことにより、所定長の第1コード３ｂが引き出された場合、第1コード３ｂよりは短いところの、所定長の第2コード４ｂを引き出すことができる。
【００３４】
比Ｄを大きくすることにより、第1コード３ｂの長さの１／Ｄである第２コード４ｂを巻取り及び引き出すだけで、第1コード３ｂを巻き取り及び引き出すことが可能となる。この結果、第1コード３ｂと第2コード４ｂは、特別な接続機構（例，ロータリースイッチ）を利用することなく、例えば中心軸２の中空２ａを介して直接接続されることができる。
【００３５】
本願発明によれば、付属の部品を使用することなく、コードリール１０のみで、第1コード３ａの引き出される長さと第2コード４ｂの引き出されるべき長さとを互いに調節することができる。
【００３６】
本願発明のコードリールにはストッパー機構を設けることができる。図５にかかるストッパー機構の例を示す。図５は、第1リールを裏面から見た図である。図５において、第1リール３には、係合子９を受け入れるための複数の凹部４ｃが形成されることができる。
【００３７】
バネ9a力に逆らって、指などでレバー９ｂを押し下げることにより、係合子９は、図５の位置から上昇する。この上昇により、係合子９は凹部４ｃとの係合が外れ、第1リール３は中心軸２とともに回転自由な状態になる。  逆に、レバー９ｂから指を外すと、係合子９は、凹部４ｃに係合し、第1リール３が矢印方向に回転するのを阻止する。
【００３８】
他の実施形態が図５Ａ−Ｃに示される。
【００３９】
図３に示された実施形態に比して、図６Ａ−Ｃに示された実施形態は、第２リール４の第２回転巻取部４ａに巻回される第2コードの巻回状態に特徴を有している。
【００４０】
［初期状態の巻回状態の説明］
図６Ａに示される初期状態においては、第1リール３の第1回転巻取部３ａには、第1コード３ｂがｎ回巻回されている。第2リール４には、第2コード４ｂが、ｎ／２回巻回され、ｎ／２巻回分のコードが引き出されている。
【００４１】
［中心軸２がｎ／２回転時の状態の説明］
図６Ｂに示されるように、第1コード３ｂの１／２が引き出されている。この時、第1リール３は初期状態からｎ／２回転し、第2コードは、第2回転巻取部４ａか全て引き出された状態になる。
【００４２】
［中心軸がｎ回転時の状態の説明］
図６Ｂの状態から、第1コード３ｂの残りの長さが引き出されていくに従って、第1リール３が同方向にさらにｎ／２回回転する。この結果、第2回転巻取部４ａも同方向にｎ／２回回転していく。図６Ｃに示すように、この回転により、第2コード４ｂは、初期状態の巻回方向とは逆方向に第2回転巻取部４ａ上に巻回されていく。
【００４３】
中心軸が初期状態からｎ回転した状態では、所定長の第1コード３ｂが引き出され、第2コード４ｂは、その半分の長さのコードが第2回転巻取部４ａに巻回され、残り半分の長さのコードが引き出された状態になる。
【００４４】
［第1コード３ｂを巻き戻す場合の説明］
第1コード３ｂを巻き戻す場合、中心軸はｎ回逆回転し、第1コード３ｂは第1回転巻取部３ａ上に巻き取られていき、図６Ａに示す初期状態に戻る。同様に、第2コード４ｂも、第2回転巻取軸上にその半分の長さが巻き取られた図５Ａの初期状態に戻る。
【００４５】
以上のように、初期状態として、図６Ａに示されるように、第2コード４ｂの半分の長さを第2回転巻取部に巻回し、残りの半分の長さの第2コード４ｂを引き出しておくことにより、同一の第2回転巻取部４ａを使用して、倍の長さの第2コード４ｂを巻回することができる。言い換えれば、第2ケーブル４ｂの長さを半分にしても、所定の長さの第1コード３ｂを巻き取り及び引き出すことが可能となる。
【００４６】
本願発明は、上記実施形態に限定されるものではない。例えば、第1リールは、第2リールの上部或いは下部のいずれにも配置可能である。
【００４７】
図３に示されたコードリールの第1回転巻取部３ａ及び第2回転巻取部４ａの断面外周は円形である。しかし、同断面外周の形状は、コード３ｂ、４ｂが巻き取られるいずれの形状でも採用されることができる。
【００４８】
中心軸２は、中空円筒体に限られるものではない。中心軸２は、第1及び第2リール３，４とともに性逆回転可能ないずれの構造も採用することができる。
【００４９】
第1コード３ｂと第2コード４ｂとの接続は、中心軸２の中空２ａを介する他に、第1及び第2コード３ｂ、４ｂを配線可能な何れの箇所においても行うことができる。
【００５０】
第1回転巻取部３ａの外周長と、第2回転巻取部４ａの外周長とは、
第1コード２ｂと第2コード３ｂの各長さに対応して適宜選択することができる。
【図面の簡単な説明】
【００５１】
【図１】本願発明のコードリールを本体内部に収納した状態を示す図である。
【図２】本願発明のコードリールを電気機器内に収納した状態を示す図である。
【図３】本願コードリールを斜め上部から見た外観図である。
【図４】本願発明のコードリールの回転機構の一例を示す断面図である。
【図５】本願発明のコードリールのストッパーの一例を示す断面図である。
【図６Ａ】図６Ａは、本願発明のコードリールが回転０の初期状態を示す断面図である。
【図６Ｂ】図６Ｂは、本願発明のコードリールがｎ／２回転時の状態を示す断面図である。
【図６Ｃ】図６Ｃは、本願発明のコードリールがｎ回転時の状態を示す断面図である。
【図７】従来のコードリールを示す断面図である。
【図８】従来のコードリールを示す断面図である。
【符号の説明】
【００５２】
１‥本体、２‥中心軸、２ａ‥中空部、３‥第1リール、３ａ‥第1の回転巻取部、３ｂ‥第１コード、４‥第2リール、４ａ‥第２の回転巻取部、４ｂ‥第2コード、４ｃ‥凹部、８‥回転機構、８’‥ゼンマイ、９‥ストッパー、９ａ‥バネ、９ｂ‥レバー、１０コードリール
【図１】
2008024400.tif 000003
【図２】
2008024400.tif 000004
【図３】
2008024400.tif 000005
【図４】
2008024400.tif 000006
【図５】
2008024400.tif 000007
【図６Ａ】
2008024400.tif 000008
【図６Ｂ】
2008024400.tif 000009
【図６Ｃ】
2008024400.tif 000010
【図７】
2008024400.tif 000011
【図８】
2008024400.tif 000012